(57)【要約】【課題】浴槽用ゲルマニュウム容器の提供。【解決手段】本発明は、ゲルマニュウムが収容された容器であって、浴槽の湯中に漬けおくことにより湯が容器の内外を自在に流通する流通穴を備えている。又、容器は吊り下げ用の係合穴を備え、湯中に吊り下げられた状態における容器の揺動により、収納されたゲルマニュウムと湯とが効率よく接触する。又、筒体周面に多数の流通穴が設けられている。又、ゲルマニュウムは、塊状又は粒状にて収納される。又、ゲルマニュウムは、流通穴を通過可能な塊状又は粒状又は砂状であって、湯が透過自在な素材で包まれた状態にて収納される。又、係合穴には、湯中に懸架された容器が人の出入りによる湯の揺れに伴って揺れる懸架手段が係合される。又、収納されるゲルマニュウムは、ゲルマニュウムを主成分とする塊状又は粒状又は砂状の物質であること、等を特徴とする。【選択図】図１
2007175084.tif 000002
【特許請求の範囲】
【請求項１】
ゲルマニュウムが収容された容器であって、浴槽の湯中に漬けおくことにより湯が容器の内外を自在に流通する流通穴を備えたことを特徴とする浴槽用ゲルマニュウム容器。
【請求項２】
容器は吊り下げ用の係合穴を備え、湯中に吊り下げられた状態における容器の揺動により、収納されたゲルマニュウムと湯とが効率よく接触することを特徴とする請求項1に記載の浴槽用ゲルマニュウム容器。
【請求項３】
容器は両端が覆われた筒体で、少なくとも、筒体周面に多数の流通穴が設けられたことを特徴とする請求項１又は請求項２に記載の浴槽用ゲルマニュウム容器。
【請求項４】
ゲルマニュウムは、塊状又は粒状にて収納されることを特徴とする請求項１乃至請求項３の何れかに記載の浴槽用ゲルマニュウム容器。
【請求項５】
ゲルマニュウムは、流通穴を通過可能な塊状又は粒状又は砂状であって、湯が透過自在な素材で包まれた状態にて収納されることを特徴とする請求項１乃至請求項４の何れかに記載の浴槽用ゲルマニュウム容器。
【請求項６】
係合穴には、湯中に懸架された容器が人の出入りによる湯の揺れに伴って揺れる懸架手段が係合されていることを特徴とする請求項２乃至請求項５の何れかに記載の浴槽用ゲルマニュウム容器。
【請求項７】
収納されるゲルマニュウムは、ゲルマニュウムを主成分とする塊状又は粒状又は砂状の物質であることを特徴とする請求項１乃至請求項６の何れかに記載の浴槽用ゲルマニュウム容器。
【発明の詳細な説明】
【技術分野】
【０００１】
本発明は、ゲルマニュウムを湯槽の湯中に漬けて温浴効果を高めるために使用する浴槽用ゲルマニュウム容器に関する。
【背景技術】
【０００２】
ゲルマニュウムについては、科学的根拠は必ずしも明瞭ではないものの、ネックレスやブレスレット等の一部に用いられ、健康を促進するネックレスやブレスレット（以下、健康促進グッズともいう）として世人の人気を博している。
【発明の開示】
【発明が解決しようとする課題】
【０００３】
従来のこの種健康促進グッズでは俗に、次のように説明されている。
人体内には微量の電流が流れている。ゲルマニュウム（ＧＥ）が人体と接触し、ゲルマニュウムの接触面の温度が３２度程度なるとマイナス電子が飛び出し、その電子的特性により体内の細胞の電流バランスが整えられて、筋肉の凝りや疲れ、ストレス等が改善される。
科学的根拠は不明であるが、一部の世人には健康促進効果があるように感じられているのも事実である。
【０００４】
本発明は、このゲルマニュウムが３２度程度に熱せられると健康作用が発揮されるという知見に基づいて、新たに発案されたもので、ゲルマニュウムを浴槽の湯（一般には３８度〜４０度以上、以下これをゲルマニュウムの作用温度ともいう）に漬けることによって、マイナス電子の発生を促し、筋肉の凝りや疲れ或いはストレス等の温浴効果を更に一段と高め、健康増進に寄与する浴槽用ゲルマニュウム容器の提供を目的とする。
【課題を解決するための手段】
【０００５】
請求項１の浴槽用ゲルマニュウム容器の発明は、ゲルマニュウムが収容された容器であって、浴槽の湯中に漬けおくことにより湯が容器の内外を自在に流通する流通穴を備えたことを特徴とする。
【０００６】
請求項２の発明は、請求項1に記載の浴槽用ゲルマニュウム容器において、容器は吊り下げ用の係合穴を備え、湯中に吊り下げられた状態における容器の揺動により、収納されたゲルマニュウムと湯とが効率よく接触することを特徴とする。
【０００７】
請求項３の発明は、請求項１又は請求項２に記載の浴槽用ゲルマニュウム容器において、容器は両端が覆われた筒体で、少なくとも、筒体周面に多数の流通穴が設けられたことを特徴とする。
【０００８】
請求項４の発明は、請求項１乃至請求項３の何れかに記載のゲルマニュウムは、塊状又は粒状にて収納されることを特徴とする浴槽用ゲルマニュウム容器。
【０００９】
請求項５の発明は、請求項１乃至請求項４の何れかに記載のゲルマニュウムは、流通穴を通過可能な塊状又は粒状又は砂状であって、湯が透過自在な素材で包まれた状態にて収納されることを特徴とする。
【００１０】
請求項６の発明は、請求項２乃至請求項４の何れかに記載のゲルマニュウムは、係合穴には、湯中に懸架された容器が人の出入りによる湯の揺れに伴って揺れる懸架手段が係合されていることを特徴とする。
【００１１】
請求項７の発明は、請求項１乃至請求項６の何れかに記載のゲルマニュウムは、ゲルマニュウムを主成分とする塊状又は粒状又は砂状の物質であることを特徴とする浴槽用ゲルマニュウム容器。
【発明の効果】
【００１２】
請求項１乃至請求項７の発明によれば、何れも、ゲルマニュウムからマイナス電子が飛び出す温度（約３２度）よりも十分に高い温度の湯に漬けられるため、マイナス電子の飛び出し及びその飛び出し量が増大し、湯に入るだけで、所謂通常の温浴効果を得られる外に、これら通常の温浴効果との相乗効果による高い温浴効果を得ることができる。
【００１３】
請求項２及び請求項６の発明によれば、何れも、湯中に吊り下げられた容器が、湯船からの人の出入りによる湯の揺れに応じて、大きく揺動し、湯との接触を円滑且つ効率よく行わせることができる。
【００１４】
請求項３の発明によれば、吊り下げられた状態での横揺れにより容器内への湯の流入量を増大させることができる。
【００１５】
請求項４及び請求項５の発明によれば、何れも、ゲルマニュウムが湯に触れる表面積の増大を図ることができる上、体積を小さくしているから、湯からの熱伝導量を増大させることができ、ゲルマニュウムの作用を活発化させることができる。
【発明を実施するための最良の形態】
【００１６】
以下、本発明の最良の実施の形態を筒状形態の容器の例にて説明する。
【実施例】
【００１７】
図１において、実施例に示すゲルマニュウムが収容される容器１は、筒状胴部２と当該筒状胴部２の下端側を塞ぐ底面部３と上端側を塞ぐ上面部４とで構成された、両端が覆われた筒状の容器である。図示の上面部４は筒状胴部２の上端に縁が嵌り合う半球状であって、筒状胴部２の上端部側に半球状の縁が嵌め込まれた状態にて、当該嵌め合い部を直径方向に相対に配置された一対のネジ４１，４１にて、開閉可能にネジ着されている。
【００１８】
筒状胴部２の外周には多数の流通穴２１が設けられており、この流通穴２１は容器１を図示されていない浴槽の湯中に漬けおくことにより、湯を容器１の内外を自在に流通させるための穴である。
図示の流通穴は２１は文字通り筒状胴部２の周面を貫通するように丸穴を開けたものであるが、流通穴２１は必ずしも、このような丸穴である必要はなく、湯の自在な流通を可能とすると共に収納されるゲルマニュウムが流出しない形態であればよい。例えば、筒状胴部２の全部や一部を網や格子で構成してもよく、このような編み目や格子窓を含めて以下、流通穴とも言う。
【００１９】
容器１に収納されるゲルマニュウムは、湯の熱を効率よく吸収できる形態とするのが望ましく、この実施例では図示していないが、比較的小さな複数の塊状又は粒状にするとよい。
又、流通穴２１としての編み目や格子窓がゲルマニュウムの形態より大きくて、ゲルマニュウムがそのままの形状では流出するような場合、例えば流通穴２１を通過可能な塊状又は粒状又は砂状である場合、その形状のゲルマニュウムを湯が透過自在な素材で包まれた状態、例えば網や通水性の生地にて袋詰めにして、流通穴２１から流出しないようにしてもよい（図示せず）。尚、収納されるゲルマニュウムは、ゲルマニュウムを主成分とする塊状又は粒状又は砂状の物質でもよい。
このようにして、一つ当りの塊状や粒状或いは砂状の体積を小さくしてゲルマニュウムが湯に触れる表面積を増大させることによって、湯からの熱伝導量を増大させることができ、ゲルマニュウムの作用をより活発化させることができる。
【００２０】
上記のようにしてゲルマニュウムが収納された容器１は、当該容器１の上部側に適宜に設けられた係合穴４２には、湯中に懸架された容器が人の出入りによる湯の揺れに伴って揺れる懸架手段（図示せず）が係合されている
この懸架手段は、吊り下げられた状態の容器が湯の動きに応じて揺動しやすいもの、例えば、細い鎖や柔軟な紐等がよい。これにより、入浴する人の動きに応じて大きくうねる湯に応じて、容器１を大きく揺動させることができ、吊り下げられた状態での横揺れにより容器内への湯の流入量を増大させることができるので、収納されたゲルマニュウム（図示せず）と湯とを効率よく接触させ、ゲルマニュウムの作用温度を維持し、マイナス電子の大量発生を促すことができる。尚、懸架手段は浴槽に望む蛇口、或いは、浴室の壁に吸着させた吸盤フック等に吊り下げればよい。
【００２１】
この実施例によれば、ゲルマニュウムからマイナス電子が飛び出す温度（約３２度）よりも、一般に十分に高い温度の浴槽の湯に漬けられるため、マイナス電子の飛び出し及びその飛び出し量を増大させることができ、しかも、入浴（湯に入る）するだけで、通常の温浴効果に加えてのゲルマニュウムによる健康促進作用による相乗効果とによって一段と高い温浴効果を得ることができる。
【産業上の利用可能性】
【００２２】
本発明は、家庭内の浴槽に限らず、ホテルや旅館或いは公衆浴場等、業務用の浴槽や入浴施設においても広く適用することができる。
【図面の簡単な説明】
【００２３】
【図１】縦断端面図である。
【図２】正面図である。
【図３】右側面図である。
【符号の説明】
【００２４】
１    容器（ゲルマニュウム容器）
２    筒状胴部
２１    流通穴
３    底面部
４    上面部
４１  ネジ
４２  係合穴
【図１】
2007175084.tif 000003
【図２】
2007175084.tif 000004
【図３】
2007175084.tif 000005